(57)【要約】  家庭内システムと車載システムとを備えたホームセキュリティシステムであって、家庭内システムは、家庭内に取り付けられた家の状態を検出可能な家庭内センサと、車載システムと通信可能な家庭内通信モジュールとを備え、家庭内センサの情報から異常を感知するものであり、車載システムは、車に搭載されている車外出力可能な車載機器と、家庭内通信モジュールを介して家庭内システムと通信可能な車載通信モジュールとを備え、家庭内システムが異常を感知した場合に、家庭内通信モジュールおよび車載通信モジュールを介して家庭内システムから指示を受け取り、当該指示にしたがって車載機器を用いて異常に対処するようにしたので、車と家とが物理的に接続されていなくても通信により作動できるとともに、家庭内システムが異常を検知した場合に車載システムを利用して近隣住民に異常を通知することができる。
2013105125.tif 000002
【特許請求の範囲】
【請求項１】
家庭内システムと車載システムとを備えたホームセキュリティシステムであって、
前記家庭内システムは、
家庭内に取り付けられた家の状態を検出可能な家庭内センサと、前記車載システムと通信可能な家庭内通信モジュールとを備え、
前記家庭内センサの情報から異常を感知するものであり、
前記車載システムは、
車に搭載されている車外出力可能な車載機器と、前記家庭内通信モジュールを介して前記家庭内システムと通信可能な車載通信モジュールとを備え、
前記家庭内システムが異常を感知した場合に、前記家庭内通信モジュールおよび前記車載通信モジュールを介して前記家庭内システムから指示を受け取り、当該指示にしたがって前記車載機器を用いて前記異常に対処する
ことを特徴とするホームセキュリティシステム。
【請求項２】
前記家庭内システムは、
前記家庭内通信モジュールと前記車載通信モジュールとにより前記家庭内システムと前記車載システムとの通信が確立した場合に、前記車にどのような車載機器が搭載されているのかを確認する
ことを特徴とする請求項１記載のホームセキュリティシステム。
【請求項３】
前記車載システムは、
前記家庭内システムが前記異常を感知した場合に、前記車載機器であるスピーカを用いて前記車の周囲にメッセージを出力する
ことを特徴とする請求項１記載のホームセキュリティシステム。
【請求項４】
前記車載システムは、
前記家庭内システムが前記異常を感知した場合であって、前記異常が不審者によるものであると判断された場合に、前記車載機器を用いて前記不審者を威嚇する出力を行う
ことを特徴とする請求項１記載のホームセキュリティシステム。
【請求項５】
前記車載システムは、
車載記憶媒体をさらに備え、
前記家庭内通信モジュールと前記車載通信モジュールとにより前記家庭内システムと前記車載システムとの通信が確立した場合に、前記家庭内センサ情報を、前記車載記憶媒体に常時保存する
ことを特徴とする請求項１記載のホームセキュリティシステム。
【請求項６】
前記家庭内システムは、
異常発生時に異常を通知する登録者または登録機関を予め登録しておく連絡先データベースをさらに備え、
前記異常を感知した場合に、前記家庭内通信モジュールおよび前記車載通信モジュールを介して、前記異常を感知した旨を、前記連絡先データベースに予め登録してある登録者または登録機関へ通知する
ことを特徴とする請求項１記載のホームセキュリティシステム。
【請求項７】
前記車載システムは、
前記車に搭載されている車の周囲または内部の状態を検出可能な車載センサをさらに備え、
前記家庭内システムは、
前記異常を感知した場合に、前記家庭内センサおよび前記車載センサの情報を外部端末から閲覧することを許可する
ことを特徴とする請求項１記載のホームセキュリティシステム。
【請求項８】
前記家庭内システムは、
前記ホームセキュリティシステムに外部端末からアクセス可能な登録者または登録機関を予め登録しておくアクセス先データベースと、当該アクセス先データベースに基づいてアクセス制限を行うゲートウェイモジュールとをさらに備え、
前記外部端末からのアクセスの際に、前記車載通信モジュールおよび前記ゲートウェイモジュールを経由させる
ことを特徴とする請求項１記載のホームセキュリティシステム。
【請求項９】
前記車載システムは、
前記車に搭載されている車の周囲または内部の状態を検出可能な車載センサをさらに備え、
前記家庭内システムは、
前記異常を感知した場合に、前記アクセス先データベースに予め登録されている登録者または登録機関の外部端末から、前記ゲートウェイモジュールを介して、前記家庭内センサ、前記車載センサおよび前記車載機器を操作することを許可する
ことを特徴とする請求項８記載のホームセキュリティシステム。
【請求項１０】
前記車載システムは、
前記ホームセキュリティシステムにアクセス可能な登録者または登録機関のうち、前記車載システムに対する外部からの操作可否情報も保持する車載システム操作権限データベースをさらに備え、
前記家庭内システムは、
前記アクセス先データベースに予め登録されている登録者または登録機関のうち、前記家庭内システムに対する外部からの操作可否情報も保持する家庭内システム操作権限データベースをさらに備え、
前記家庭内システム操作権限データベースおよび前記車載システム操作権限データベースを参照することにより、前記アクセス先データベースに予め登録されている登録者または登録機関の外部端末からの操作権限を管理する
ことを特徴とする請求項８記載のホームセキュリティシステム。
【請求項１１】
前記車載システムは、マイクをさらに備え、
前記家庭内システムは、前記異常を感知した場合に、前記連絡先データベースに予め登録してある登録者または登録機関の外部端末に電話をかける
ことを特徴とする請求項６記載のホームセキュリティシステム。
【請求項１２】
前記車載システムは、
自律走行モジュールをさらに備え、
前記家庭内システムが前記異常を感知した場合に、前記自律走行モジュールを起動した上で、前記車載システムの前記車載機器を用いて前記車の周囲にメッセージを出力する
ことを特徴とする請求項１記載のホームセキュリティシステム。
【請求項１３】
前記家庭内システムは、充電モジュールをさらに備え、
前記車載システムは、
車載バッテリおよび停電感知モジュールをさらに備え、
前記停電感知モジュールが前記家庭内システムの停電を感知した場合に、前記車載バッテリから前記充電モジュールに対して、前記家庭内システムを動作させるのに必要な電力を供給する
ことを特徴とする請求項１記載のホームセキュリティシステム。
【請求項１４】
前記家庭内システムは、
異常発生時に利用可能な近隣の車を予め登録した利用可能車両情報データベースをさらに備え、
前記異常を感知した場合に、前記利用可能車両情報データベースに予め登録してある近隣の車に搭載されている車載システムに対して前記異常に対処するよう指示する
ことを特徴とする請求項１記載のホームセキュリティシステム。
【請求項１５】
前記車載システムは、
前記車載センサおよび前記車載機器の故障を発見する自己診断モジュールをさらに備え、
前記家庭内システムは、
前記故障した車載センサまたは車載機器の代替として利用可能な近隣の車を前記利用可能車両情報データベースから探索して優先順位を付けて保持しておき、
前記異常を感知した場合に、前記優先順位を付けて保持した結果に基づいて、前記近隣の車に搭載されている車載システムに対して前記異常に対処するよう指示する
ことを特徴とする請求項１４記載のホームセキュリティシステム。
【請求項１６】
家庭内の異常を感知する家庭内システムを備えたホームセキュリティシステムに利用される車載システムであって、
車に搭載されている車外出力可能な車載機器と、前記家庭内システムと通信可能な車載通信モジュールとを備え、
前記家庭内システムが異常を感知した場合に、前記車載通信モジュールを介して前記家庭内システムから指示を受け取り、当該指示にしたがって前記車載機器を用いて前記異常に対処する
ことを特徴とする車載システム。
【請求項１７】
前記家庭内システムが異常を感知した場合に、前記車載機器であるスピーカを用いて前記車の周囲にメッセージを出力する
ことを特徴とする請求項１６記載の車載システム。
【請求項１８】
前記家庭内システムが異常を感知した場合であって、前記異常が不審者によるものであると判断された場合に、前記車載機器を用いて前記不審者を威嚇する出力を行う
ことを特徴とする請求項１６記載の車載システム。
【請求項１９】
自律走行モジュールをさらに備え、
前記家庭内システムが異常を感知した場合に、前記自律走行モジュールを起動した上で、前記車載機器であるスピーカを用いて前記車の周囲にメッセージを出力する
ことを特徴とする請求項１６記載の車載システム。
【請求項２０】
車載バッテリおよび停電感知モジュールをさらに備え、
前記停電感知モジュールが前記家庭内システムの停電を感知した場合に、前記車載バッテリから前記家庭内システムに対して、前記家庭内システムを動作させるのに必要な電力を供給する
ことを特徴とする請求項１６記載の車載システム。
【発明の詳細な説明】
【技術分野】
【０００１】
この発明は、各種センサを搭載した車載システムを利用したホームセキュリティシステムに関するものである。
【背景技術】
【０００２】
近年の自動車は、各種安全・安心機能のために様々なセンサが取り付けられている。それらは、走行中にのみ使用されており、駐車中には使用されていないのが現状である。しかし、駐車時に車載センサを使うことにより周辺の安全・安心を高めることが可能となるはずである。そこで、自宅に駐車している自動車のセンサ情報を活用し、ホームセキュリティを高めることが考えられている。【０００３】
例えば特許文献１には、家と車を接続することで動作をし、接続車両の周りに存在する不審者に対して警告を行うセキュリティシステムが開示されている。また、例えば特許文献２には、自動車に取り付けられているカメラ等の各種センサの情報を、電力線を用いて車−家間で共有することにより、自宅や敷地内を監視して、自宅にいるユーザや警備会社に異常を通知するセキュリティシステムが開示されている。また、例えば特許文献３には、自動車が物理的に自宅の給電コンセントに接続された充電中である場合に、自動車に取り付けられたカメラ等の各種センサの情報を基に異常感知を行い、異常を感知した場合は、登録されている連絡先に対し、異常が感知された旨を通知する監視装置が開示されている。
【先行技術文献】
【特許文献】
【０００４】
【特許文献１】特開２０１０−９２２２１号公報
【特許文献２】特開２００７−７２６８６号公報
【特許文献３】特開２０１０−１４０４５１号公報
【発明の概要】
【発明が解決しようとする課題】
【０００５】
しかしながら、例えば特許文献１〜３に示すような従来技術では、車と家とが物理的なケーブルで接続されている充電中の状態においてのみ作動されるシステムであり、車が駐車されていたとしても、家と物理的に接続されていない場合には作動しないという課題があった。また、例えば特許文献１に示すような従来技術では、そのセキュリティシステムの機能は、車の周辺の不審者の感知や、電力・車両の盗難防止に限定されており、火災や停電などの異常が発生した場合には対処できないという課題もあった。また、特許文献２，３のような従来技術でも、自宅にいるユーザや特定の連絡先に異常を通知することはできても、例えば火災などが発生した場合に、近隣住民に即座にその異常を知らせることはできない、という課題もあった。【０００６】
この発明は、上記のような課題を解決するためになされたものであり、車載システムを利用したホームセキュリティシステムであって、車と家とが物理的に接続されていなくても通信により作動できるとともに、家庭内システムが異常を検知した場合に車載システムを利用して近隣住民に異常を通知することができるホームセキュリティシステムを提供することを目的とする。
【課題を解決するための手段】
【０００７】
上記目的を達成するため、この発明は、家庭内システムと車載システムとを備えたホームセキュリティシステムであって、前記家庭内システムは、家庭内に取り付けられた家の状態を検出可能な家庭内センサと、前記車載システムと通信可能な家庭内通信モジュールとを備え、前記家庭内センサの情報から異常を感知するものであり、前記車載システムは、車に搭載されている車外出力可能な車載機器と、前記家庭内通信モジュールを介して前記家庭内システムと通信可能な車載通信モジュールとを備え、前記家庭内システムが異常を感知した場合に、前記家庭内通信モジュールおよび前記車載通信モジュールを介して前記家庭内システムから指示を受け取り、当該指示にしたがって前記車載機器を用いて前記異常に対処することを特徴とする。
【発明の効果】
【０００８】
この発明のホームセキュリティシステムによれば、車と家とが物理的に接続されていなくても通信により作動できるとともに、家庭内システムが異常を検知した場合に車載システムを利用して近隣住民に異常を通知することができる。
【図面の簡単な説明】
【０００９】
【図１】実施の形態１におけるホームセキュリティシステムの構成を示すブロック図である。
【図２】実施の形態１におけるホームセキュリティシステムの起動から車載機器一覧を取得するまでの処理を示すフローチャートである。
【図３】実施の形態１におけるホームセキュリティシステムの基本処理を示すフローチャートである。
【図４】実施の形態１におけるホームセキュリティシステムの異常対処処理を示すフローチャートである。
【図５】実施の形態１におけるホームセキュリティシステムの起動から基本処理までの別の例を示すフローチャートである。
【図６】実施の形態２におけるホームセキュリティシステムの構成を示すブロック図である。
【図７】実施の形態２におけるホームセキュリティシステムの通常時のアクセス制限処理を示すフローチャートである。
【図８】実施の形態２におけるホームセキュリティシステムのアクセス操作可否権限の確認処理を示すフローチャートである。
【図９】実施の形態３におけるホームセキュリティシステムの構成を示すブロック図である。
【図１０】実施の形態３におけるホームセキュリティシステムの音声対話機能起動処理を示すフローチャートである。
【図１１】実施の形態３におけるホームセキュリティシステムの音声データ受信および出力の処理を示すフローチャートである。
【図１２】実施の形態３におけるホームセキュリティシステムの音声データ送信処理を示すフローチャートである。
【図１３】実施の形態４におけるホームセキュリティシステムの構成を示すブロック図である。
【図１４】実施の形態４におけるホームセキュリティシステムの自律走行モジュール起動処理を示すフローチャートである。
【図１５】実施の形態５におけるホームセキュリティシステムの構成を示すブロック図である。
【図１６】実施の形態５におけるホームセキュリティシステムの停電確認処理を示すフローチャートである。
【図１７】実施の形態６におけるホームセキュリティシステムの構成を示すブロック図である。
【図１８】実施の形態６におけるホームセキュリティシステムの緊急時近隣車両利用機能の動作処理を示すフローチャートである。
【図１９】実施の形態７におけるホームセキュリティシステムの構成を示すブロック図である。
【図２０】実施の形態７におけるホームセキュリティシステムの故障発見時の代替車両探索処理を示すフローチャートである。
【発明を実施するための形態】
【００１０】
以下、この発明の実施の形態について、図面を参照しながら詳細に説明する。
実施の形態１．
図１は、この発明の実施の形態１におけるホームセキュリティシステムの構成を示すブロック図である。このホームセキュリティシステムは、家庭内システム１と車載システム２とにより構成されており、車載システム２を利用したホームセキュリティシステムである。
【００１１】
家庭内システム１は、セキュリティシステムを導入している家庭内におけるシステムであり、家庭内センサ１１、センサ処理部１２、家庭内システムマネージャ１３、家庭内通信モジュール１４、連絡先データベース（連絡先ＤＢ）１５、充電モジュール１６を有している。
また、車載システム２は、車載センサ２１、車載機器２２、車載機器コントローラ２３、車載記憶媒体２４、搭載機器データベース（搭載機器ＤＢ）２５、車載通信モジュール２６、車載バッテリ２７を有している。
【００１２】
家庭内センサ１１は、家庭内に取り付けられた家の状態を検出可能なカメラ、温度センサ等の各種センサであり、車載センサ２１は、車に搭載されている車の周囲または内部の状態を検出可能なカメラ、超音波センサ等の各種センサである。また、車載機器２２は、車に搭載されているスピーカやライト等、車外出力可能な機器である。
センサ処理部１２は、家庭内センサ１１および車載センサ２１の情報（データ）を一括して処理し、それらセンサ情報から異常の有無を判断する。
また、連絡先データベース１５は、センサ処理部１２が異常を感知した場合に、家の持ち主、警備会社、消防署、警察署等、その異常を連絡する送信先（異常時の連絡先）が予め登録されているデータベースである。
【００１３】
家庭内システムマネージャ１３は、家庭内のセキュリティシステムの統括を行うシステムマネージャ（コントローラ）であり、家庭内システム１と車載システム２との間で通信が確立すると、２つのシステムを組み合わせた統合システムの統括を行う。統合システムでは、各モジュールからデータを取得したり、各モジュールに対して指令を与えたりする。例えば、家庭内センサ１１および車載センサ２１によるセンサ情報をセンサ処理部１２に渡した結果として異常が感知された場合に、車載システム２の車載機器コントローラ２３に対して、スピーカ（車載機器）２２からメッセージを流すよう命令を送る。
【００１４】
車載記憶媒体２４は、車に搭載されている記憶媒体であり、家庭内センサ１１および車載センサ２１による各種センサ情報を記録するものである。ただし、そのセンサ情報を記録するための専用媒体である必要はないので、例えばカーナビの記憶領域であっても構わない。
また、搭載機器データベース２５は、車に搭載されている機器の一覧情報を予め記憶しておくものである。システムが利用可能な車載機器を確認するときには、このデータベースを参照する。
そして、車載機器コントローラ２３は、各種車載機器２２の操作、車載記憶媒体２４とのデータの読み書き、搭載機器データベース２５を用いた車載機器一覧の取得等を行う。
【００１５】
家庭内通信モジュール１４は、家（家庭内システム１）と車（車載システム２）との間でデータや命令の授受を行うための通信モジュールである。通信方法としては、無線通信や電力線通信等が考えられる。また、外部端末と通信を行ってもよい。ただし、異常発生時に、例えば家庭内通信モジュール１４が不審者によって壊されたり、火災によって焼失したり等の理由で、この家庭内通信モジュール１４が使用できない可能性があることを考慮して、車載システム２を利用したホームセキュリティシステム作動時には、主に車載通信モジュール２６を用いて外部との通信を行うものとする。
【００１６】
車載通信モジュール２６は、家庭内通信モジュール１４との通信、および、異常感知時に予め登録してある登録者（家の持ち主、家族、親戚等）や登録機関（警備会社、消防署、警察署等）の外部端末への通知を行う。車載通信モジュール２６は、車内に備えられているため、家庭内の異常に左右されずに動作することができるので、外部端末との通信手段としては、主にこの車載通信モジュール２６を利用する。ただし、家庭内通信モジュール１４による外部端末との通信を制限するものではないので、外部端末と通信する時のサブモジュールとして家庭内通信モジュール１４を用いるようにしてもよい。外部端末との通信は、無線通信で行う。家庭内通信モジュール１４との通信方法としては、無線通信や電力線等を用いた有線通信とのいずれを用いても構わない。
【００１７】
なお、車載バッテリ２７は、車に搭載されているバッテリである。また、充電モジュール１６は、車載バッテリ２７を充電するためのモジュールである。
【００１８】
次に、システムの処理について説明する。図２は、実施の形態１におけるホームセキュリティシステムの起動から車載機器一覧を取得するまでの処理を示すフローチャートである。
車載機器コントローラ２３と家庭内システムマネージャ１３との間で通信が確立するまで（ステップＳＴ１のＮＯの場合）は、家庭内システム１が通常のセキュリティシステムを稼動させているだけであり、車載システム２を利用したホームセキュリティシステムは起動していない。この際、車載機器コントローラ２３と家庭内システムマネージャ１３との間の通信方法としては、無線通信または有線通信のいずれであっても構わない。そして、無線通信の場合には、車側または車載通信モジュールと通信する外部機器から、通信確立要求のためのボタン等をユーザが押すことにより、通信が確立する。また、有線通信の場合には、物理的に充電用のケーブルが接続されたことにより、通信が確立する。
【００１９】
そして、車載機器コントローラ２３と家庭内システムマネージャ１３との間で通信が確立すると（ステップＳＴ１のＹＥＳの場合）、異常対処のためにどのような車載機器が利用可能かを調べるために、家庭内システムマネージャ１３が車載機器コントローラ２３に対して車に搭載されている車載機器一覧取得要求を通知する（ステップＳＴ２）。そして、車載機器コントローラ２３は、家庭内システムマネージャ１３からの要求を受けて、搭載機器データベース２５から、車に搭載されている車載機器一覧を取得する（ステップＳＴ３）。そして、搭載されている車載機器一覧を取得した車載機器コントローラ２３は、家庭内システムマネージャ１３にそれを通知する（ステップＳＴ４）。そして、家庭内システムマネージャ１３は、異常発生時に、このステップＳＴ４で通知された車載機器一覧を基に、利用可能な車載機器を操作して異常対処を行うよう車載機器コントローラ２３に対して指示を出す。そして、家庭内システムマネージャ１３からの指示を受け取った車載機器コントローラ２３は、当該指示にしたがって異常に対処する。なお、この異常発生時の処理については、後述する。
【００２０】
図３は、実施の形態１におけるホームセキュリティシステムが、システム起動後に一定の時間間隔で実施する基本処理を示すフローチャートである。
家庭内システムマネージャ１３は、一定時間ごとに家庭内センサ１１からセンサ情報を取得し（ステップＳＴ１１）、取得した家庭内センサの情報を車載記憶媒体２４に保存する（ステップＳＴ１２）。家庭内においては、家庭内センサ１１から取得したセンサ情報はセンサ処理部１２に保存されるが、家庭内のみにセンサ情報を保存すると、侵入者や火災などの災害により破損する可能性があるからである。このように、車載記憶媒体２４への記憶を可能にすることで、そのような破損時にもデータを漏らさず記憶することができる。また、異常発生の有無にかかわらず保存することにより、異常の見落としが発生した場合であっても、後からその時の状況を確認することが可能になる。
【００２１】
その後、家庭内システムマネージャ１３は、取得したセンサ情報をセンサ処理部１２に通知し、異常の有無を確認させる（ステップＳＴ１３）。そして、センサ処理部１２が異常であると確認・判断した場合、その処理結果を家庭内システムマネージャ１３に通知することにより、家庭内システムマネージャ１３は異常を感知する。すなわち、センサ処理部１２が異常を感知した結果、家庭内システムマネージャ１３が異常が発生したと認識した場合（ステップＳＴ１４のＹＥＳの場合）、家庭内システムマネージャ１３は、図２のステップＳＴ４において通知されて取得した車載機器一覧を基に、車載機器コントローラ２３に対して、利用可能な車載機器を用いた異常対処命令を通知する（ステップＳＴ１５）。
【００２２】
図４は、実施の形態１におけるホームセキュリティシステムが、異常感知時に行う異常対処処理を示すフローチャートである。
図３に示すステップＳＴ１４の判断において、異常を感知した場合（ステップＳＴ１４のＹＥＳの場合）、車載機器コントローラ２３に対して異常対処命令を通知した結果、車載通信モジュール２６から登録者や登録機関への通知が行われる（ステップＳＴ２１）。家で何か異常が生じた場合、ユーザはいち早くどのような異常が発生したかを知ることを望むので、異常発生時に登録者に対し、異常発生の旨とどのような異常が発生したかを通知するのである。また、火災等の災害の場合や不審者の侵入の場合の対応は、個人では困難な場合が多い。そのため、消防署、警察署等の、感知した異常の対処に相応しい機関に対しても通知を行うことにより、異常時に対処することが可能となる。なお、ここでは車載通信モジュール２６から通知を行うものとして説明したが、家庭内通信モジュール１４が外部と通信可能であれば、家庭内通信モジュール１４を用いて通知を行ってもよい。
【００２３】
この際、異常発生の旨とどのような異常が発生したかが通知されただけでは、現状を把握することはできないが、現場に到着する前に現場の現状を把握することにより、異常に対して迅速に対応することが可能となる。そのため、例えば家庭内センサ１１のひとつであるカメラ画像を、外部からリアルタイムで閲覧することができるようにすること、すなわち、外部から家庭内システム１のセンサ情報を閲覧可能にすることが望まれる。ただし、誰でも閲覧できてしまうことはプライバシーの点等で問題であるため、異常を感知した場合に、連絡先データベース１５に登録されている登録者・登録機関に対してのみ、家庭内センサ１１や車載センサ２１の情報を外部端末から閲覧することを許可するよう、システムへのアクセス権限の変更を行う（ステップＳＴ２２）。
【００２４】
具体的には、例えば、このシステムがステップＳＴ２１における登録者や登録機関への通知をメールで行い、その通知メールに、外部端末からシステムにアクセスするためのＵＲＬを記載しておく。それと同時に、ステップＳＴ２２におけるシステムへのアクセス権限の変更を行っておく。これにより、異常の通知を受けた登録者や登録機関の人が、その通知されたメールに記載されているＵＲＬへアクセスすることにより、家庭内システム１のセンサ情報を閲覧することができる。
【００２５】
ここで、図３のステップＳＴ１４で感知した異常が不審者の侵入であった場合（ステップＳＴ２３のＹＥＳの場合）には、車に搭載されているライトで照らしたり、ブザーを鳴らしたり、車載カメラで撮影する等、車載機器２２を用いて不審者を威嚇する出力を行う（ステップＳＴ２４）。これにより、不審者が自宅敷地内に侵入した場合に、一刻も早く不審者を追い払うことが可能になる、という効果がある。
【００２６】
そして、異常が不審者であった場合でも他の異常であった場合でも、異常を感知した旨を近隣に伝えるために、車外出力可能なスピーカ等の車載機器２２から、周囲へメッセージを通知する（ステップＳＴ２５）。これは、登録者や登録機関への通知後、ユーザがかけつけたり登録機関から派遣された人員が現場に到着するまでには時間がかかるが、その間にも状況は刻々と変化していくため、人員到着までの間に何か対処が必要であったり、また、近隣の人々の力により対処可能なことがあるからである。そこで、近隣の人々に対し、助けを求めるとともに、どのような異常が発生したかを伝えることで、異常発生から初期対処までにかかる時間を短縮することができる。伝えるメッセージとしては、例えば、火災を感知した場合には「火事です」というメッセージを流し、不審者を感知した場合には「不審者がいるので気をつけて」というメッセージを流す等、感知した異常に応じて変化させて通知する。なお、このメッセージは変更可能とする。
【００２７】
なお、この実施の形態１では、車載機器コントローラ２３と家庭内システムマネージャ１３との間で通信が確立すると（図２に示すフローチャートのステップＳＴ１のＹＥＳの場合）、このホームセキュリティシステムが起動するものとして説明したが、別の処理フローの例として、異常を感知したら起動するようにしてもよい。
図５は、実施の形態１におけるホームセキュリティシステムの起動から基本処理までの別の例を示すフローチャートである。
【００２８】
ステップＳＴ３１〜ＳＴ３３までの処理については、図３に示すステップＳＴ１１〜ＳＴ１３と同じであるので、説明を省略する。そして、家庭内システムマネージャ１３が異常が発生したと判断した場合（ステップＳＴ３４のＹＥＳの場合）、さらに、車載機器コントローラ２３と家庭内システムマネージャ１３との間で通信が確立しているか否かを判断する（ステップＳＴ３５）。この通信が確立している場合（ステップＳＴ３５のＹＥＳの場合）には、異常対処のために利用可能な車載機器一覧を、家庭内システムマネージャ１３が車載機器コントローラ２３から取得する（ステップＳＴ３６）。なお、このステップＳＴ３６の処理は、図２に示すステップＳＴ２〜ＳＴ４の処理をまとめて記載したものである。
そして、家庭内システムマネージャ１３は、取得した車載機器一覧を基に、車載機器コントローラ２３に対して利用可能な車載機器を用いた異常対処命令を通知する（ステップＳＴ３７）。なお、異常感知時の処理については、図４に示すフローチャートおよび説明と同じである。
【００２９】
以上のように、この実施の形態１によれば、車と家とが物理的に接続されていなくても通信により作動できるとともに、家庭内システムが異常を検知した場合に車に搭載されている車載機器を利用して近隣住民に異常を通知することができる。
また、異常が不審者によるものであった場合、車載機器を用いて不審者を威嚇したり、不審者の特徴や行動を記録することができる。
さらに、家庭内センサおよび車載センサの情報を、車載記憶媒体に記憶することにより、仮に家庭内の記憶媒体が故障したり容量が一杯になったりした場合であっても、車載記憶媒体に保存されている情報から原因を分析すること等が可能になる。
【００３０】
また、異常発生時に、異常発生した旨を登録者に伝えるだけでなく、警察や消防署等の対処に相応しい機関に通報することにより、異常に対する迅速な対処を可能とする。
さらに、異常発生時に、家庭内センサおよび車載センサの情報を外部端末から閲覧可能にすることにより、その場で何が起こっているのかを把握するための手助けを行うことができる。
【００３１】
実施の形態２．
図６は、この発明の実施の形態２におけるホームセキュリティシステムの構成を示すブロック図である。このホームセキュリティシステムは、家庭内システム３と車載システム４とにより構成されており、車載システム４を利用したホームセキュリティシステムである。なお、実施の形態１で説明したものと同様の構成には、同一の符号を付して重複した説明を省略する。
【００３２】
以下に示す実施の形態２における家庭内システム３は、実施の形態１に示す家庭内システム１に比べると、連絡先データベース（連絡先ＤＢ）１７の内容が実施の形態１における連絡先データベース１５とは異なり、またさらに、ゲートウェイモジュール１８および家庭内システムアクセス権限データベース（家庭内システムアクセス権限ＤＢ）１９を備えている。また、実施の形態２における車載システム４は、実施の形態１に示す車載システム２に比べると、搭載機器データベース（搭載機器ＤＢ）２８の内容が実施の形態１における搭載機器データベース２５とは異なり、またさらに、車載機器コントローラ２９で行う機能が、実施の形態１における車載機器コントローラ２３とは異なる。
【００３３】
連絡先データベース１７は、連絡先データベース１５のように異常時の連絡先一覧を保持するだけではなく、さらに、各登録者・登録機関のアクセス権限情報を保持しているアクセス先データベースである。ここで言うアクセス権限とは、通常時と異常感知時それぞれにおける、システム内へのアクセス可否を指すものである。
そして、ゲートウェイモジュール１８は、この連絡先データベース１７に記載されているアクセス権限を参照することにより、外部端末からのリクエストを家庭内システムマネージャ１３に通知するべきか否かを判断する。
また、家庭内システムアクセス権限データベース１９は、家庭内システム３の中の各家庭内センサ１１の操作可否情報を保持する家庭内システム操作権限データベースである。
【００３４】
搭載機器データベース２８は、搭載機器データベース２５のように車に搭載されていて利用可能な車載機器一覧を保持するだけでなく、各車載センサ２１および各車載機器２２の操作可否情報も保持する搭載機器および車載システム操作権限データベースである。
そして、車載機器コントローラ２９は、この搭載機器データベース２８に記載されている情報を基に、各車載センサ２１、各車載機器２２の操作可否を判断する機能も備える。
【００３５】
異常発生時だけでなく、通常時も家庭内システム３および車載システム４に対して全登録者・全登録機関がアクセス可能であると、プライバシーの観点から問題がある。そこで、この実施の形態２では、異常発生時とは別に通常時のシステムへのアクセス制限としてゲートウェイモジュールを設けて、外部端末からのアクセスの際に、ゲートウェイモジュールを経由させることにより、プライバシーを保護するものである。
図７は、実施の形態２におけるホームセキュリティシステムの通常時のアクセス制限処理を示すフローチャートである。
【００３６】
まず、ゲートウェイモジュール１８は、車載通信モジュール２６経由で、外部端末からのリクエストを受信すると（ステップＳＴ４１のＹＥＳの場合）、連絡先データベース１７を参照して、リクエスト送信主の通常時でのシステムへのアクセス権限を確認する（ステップＳＴ４２）。アクセス権限があると判断された場合（ステップＳＴ４３のＹＥＳの場合）には、ゲートウェイモジュール１８が家庭内システムマネージャ１３にリクエストを通知する（ステップＳＴ４４）。そして、家庭内システムマネージ１３は、受け取ったリクエストに応じて、各モジュールを操作する。
【００３７】
なお、外部端末からのリクエストとしては、家庭内センサ１１や車載センサ２１の情報を閲覧するだけでなく、異常を感知した場合には、状況確認や対処等のために家庭内センサ１１、車載センサ２１、車載機器２２を操作したいというリクエストも考えられる。この場合にも、ゲートウェイモジュール１８を介することによりセキュリティを強化しているので、連絡先データベース１７に予め登録されている登録者または登録機関の外部端末に対しては、ゲートウェイモジュール１８を介して、家庭内センサ１１、車載センサ２１、車載機器２２を操作することを許可するようにしてもよい。
【００３８】
一方、アクセス権限がないと判断された場合（ステップＳＴ４３のＮＯの場合）には、ゲートウェイモジュール１８はリクエスト送信主からの通信を拒絶する（ステップＳＴ４５）。この際、そのリクエストを無視してもよいし、送信主に対してリクエスト拒絶の旨を通知するようにしてもよい。
【００３９】
また、異常の有無にかかわらず、状況確認等のために各センサ１１，２１や車載機器２２を動かしたい場合がある。そのため、このシステム内の各センサ１１，２１および車載機器２２を通常時にも操作可能にすることが望まれる。一方で、誰でもアクセス操作可能であると、システムを乗っ取られる等、セキュリティ的に問題である。そこで、システム内にアクセス操作可否権限を登録した家庭内システムアクセス権限データベース１９を備え、そのアクセス権限情報を管理・参照することにより、登録者以外の各センサ１１，２１および車載機器２２へのアクセスを許可またはブロックする。
【００４０】
図８は、実施の形態２におけるホームセキュリティシステムのアクセス操作可否権限の確認処理を示すフローチャートである。
まず、外部端末から家庭内システムマネージャ１３に対して、車載通信モジュール２６経由でシステム内の各センサ１１，２１・車載機器２２の操作要求が送信されると、ゲートウェイモジュール１８でのシステムへのアクセス操作可否権限の確認（図７のフローチャートに示す処理）を経て、家庭内システムマネージャ１３はそのリクエストを受信する。そのようにして、家庭内システムマネージャ１３がシステム内の各センサ１１，２１・車載機器２２の操作要求を受信すると（ステップＳＴ５１のＹＥＳの場合）、その操作要求が家庭内センサ１１に対するものであった場合には、家庭内システムアクセス権限データベース１９から、該当するセンサの操作可否情報を取得して確認する。また、その操作要求が車載センサ２１または車載機器２２に対するものであった場合には、車載システムの搭載機器データベース２８から、該当するセンサまたは車載機器の操作可否情報を取得して確認する（ステップＳＴ５２）。
【００４１】
そして、家庭内システムマネージャ１３が、操作要求のあったセンサや車載機器を操作可能であると判断した場合（ステップＳＴ５３のＹＥＳの場合）、家庭内システムマネージャ１３は該当する各センサ１１，２１または車載機器２２の操作を行う（ステップＳＴ５４）。
【００４２】
以上のように、この実施の形態２によれば、ゲートウェイモジュールを設けたことにより、異常発生時だけではなく通常時においても、システムへのアクセス制限ができ、プライバシーを保護することができる。
また、外部から閲覧可能なだけではなく、操作可能とすることにより、より広範囲の状況を知ることができるようになり、その場で何が起こっているかをより正確に把握することができる手助けを行うことができる。
この際、ゲートウェイモジュールだけではなく、アクセス権限ＤＢも備えていることにより、よりセキュリティや個人情報保護にも効果がある。
【００４３】
実施の形態３．
図９は、この発明の実施の形態３におけるホームセキュリティシステムの構成を示すブロック図である。このホームセキュリティシステムは、家庭内システム１と車載システム５とにより構成されており、車載システム５を利用したホームセキュリティシステムである。なお、実施の形態１，２で説明したものと同様の構成には、同一の符号を付して重複した説明を省略する。
【００４４】
以下に示す実施の形態３における家庭内システム１は、実施の形態１に示す家庭内システム１と同じ構成である。また、実施の形態３における車載システム５は、実施の形態１に示す車載システム２に比べると、マイク３０をさらに備え、車載機器コントローラ３１は、実施の形態１における車載機器コントローラ２３の機能に加え、マイク３０の電気信号をエンコードするためのエンコーダや、スピーカ（車載機器２２）にその音を流すための音声データをデコードするためのデコーダの機能も備える。
【００４５】
このような構成とすることにより、車両周辺に人がいる場合には、異常感知時に外部端末から車両周辺の人と対話をすることが可能となる。例えば、外部端末からアクセスしてカメラ画像を閲覧することができたとしても、必ず死角は存在するため、見たいものが見えないという状況が起こりうる。また、その他にも、センサ情報だけでは得られない情報があると考えられる。そこで、このようにマイクを追加して、車両周辺の人と対話をする機能を追加することにより、センサ情報だけでは得られない情報まで得ることができる。
【００４６】
図１０は、この発明の実施の形態３におけるホームセキュリティシステムが、異常を感知してから音声対話機能を起動するまでの処理を示すフローチャートである。
家庭内システムマネージャ１３が家庭内センサ１１のセンサ情報を取得して処理した結果、異常を感知すると（ステップＳＴ６１のＹＥＳの場合）、家庭内システムマネージャ１３が、連絡先データベース１５を参照して異常を知らせるべき連絡先（予め登録してある登録者や登録機関）の情報を取得する（ステップＳＴ６２）。家庭内システムマネージャ１３は、取得した連絡先情報に異常発生の旨を通知するよう、車載機器コントローラ３１へ命令を出す。そして、その命令を受けた車載機器コントローラ３１は、通知された連絡先へ異常発生の旨を通知するために、車載通信モジュール２６経由でその連絡先の外部端末に電話をかける（ステップＳＴ６３）。
【００４７】
図１１は、この発明の実施の形態３におけるホームセキュリティシステムの音声データ受信および出力の処理を示すフローチャートである。
図１０のステップＳＴ６３で外部端末へ電話をかけた結果、外部端末のユーザと対話可能な状態になると、車載機器コントローラ３１は、外部端末から送信された音声データを、車載通信モジュール２６を経由して受信する（ステップＳＴ７１）。車載機器コントローラ３１は、受信した音声データを自身の持つデコーダでデコードし（ステップＳＴ７２）、車外出力可能なスピーカ（車載機器２２）に出力することにより、音声を出力する（ステップＳＴ７３）。
【００４８】
また、図１２は、この発明の実施の形態３におけるホームセキュリティシステムの音声データ送信処理を示すフローチャートである。
図１０のステップＳＴ６３で外部端末へ電話をかけた結果、外部端末のユーザと対話可能な状態になったときに、車両周辺に人がいる場合には、その車両周辺の人による音声情報をマイク３０によって取得する（ステップＳＴ７４）。車載機器コントローラ３１は、取得した音声データを自身の持つエンコーダでエンコードし（ステップＳＴ７５）、車載通信モジュール２６を経由して外部端末へと転送（送信）する（ステップＳＴ７６）。
【００４９】
以上のように、この実施の形態３によれば、マイクを介して車周辺の人と外部端末のユーザとの対話を可能にしたことにより、外部端末のユーザにとってセンサ情報だけではわからないより詳細な情報を収集する手助けを行うことができる。
【００５０】
実施の形態４．
図１３は、この発明の実施の形態４におけるホームセキュリティシステムの構成を示すブロック図である。このホームセキュリティシステムは、家庭内システム１と車載システム６とにより構成されており、車載システム６を利用したホームセキュリティシステムである。なお、実施の形態１〜３で説明したものと同様の構成には、同一の符号を付して重複した説明を省略する。
【００５１】
以下に示す実施の形態４における家庭内システム１は、実施の形態１に示す家庭内システム１と同じ構成である。また、実施の形態４における車載システム６は、実施の形態１に示す車載システム２に比べると、自律走行モジュール３２をさらに備え、車載機器コントローラ３３は、実施の形態１における車載機器コントローラ２３の機能に加え、この自律走行モジュール３２に起動指示を出す機能も備える。
【００５２】
これは、自宅敷地面積が広い場合や、駐車場が奥の方にある場合など、異常を感知した場合に、車外出力可能なスピーカ等の車載機器２２から周囲へメッセージを通知するだけでは、近隣の人々にメッセージが届かないような状況を考慮して追加された機能である。すなわち、できるだけ周囲へメッセージを通知することができるよう、駐車場から近隣の家々に近いところまで車が移動した上で、より多くの人にメッセージを伝えることができるようにしたものである。
【００５３】
図１４は、この発明の実施の形態４におけるホームセキュリティシステムの自律走行モジュール起動処理を示すフローチャートである。
まず、例えば充電中など、車と家とが物理的にケーブルで接続されている場合（ステップＳＴ８１のＹＥＳの場合）には、自律走行モジュール３２を起動させることは危険なため、最初にこの確認を行い、物理的に接続されている場合には自律走行モジュール３２を起動させない。
【００５４】
一方、車と家とが物理的には接続されていない場合（ステップＳＴ８１のＮＯの場合）に、システムが異常を感知したら（ステップＳＴ８２のＹＥＳの場合）、車載機器コントローラ３３が自律走行モジュール３２に起動指示を出す（ステップＳＴ８３）。
自律走行モジュール３２は、車載センサ２１の情報を用いることにより障害物を認識し、どのように走行に関係する車載機器２２を操作するべきかを車載機器コントローラ３３へ通知する。そして、車載機器コントローラ３３は、通知された結果を基に、車載機器２２を操作する。このようにして、車は障害物を避けながら、自宅の敷地内であって、近隣の家々に近いところまで移動することができる。
【００５５】
その後、車外出力可能なスピーカ等の車載機器２２から、周囲へメッセージを通知する（ステップＳＴ８４）。これにより、異常感知時に確実に近隣にメッセージを流すことができ、より多くの人にメッセージを伝えることができるので、より効果的に周囲へ助けを求めたり、注意喚起を行ったりすることができる。
【００５６】
以上のように、この実施の形態４によれば、自律走行モジュールを備えるようにしたことにより、自宅敷地面積が広い場合や、駐車場が奥の方にある場合など、異常に関する情報を周囲に伝える効果が薄い場合であっても、より広範囲に情報発信することができる。
【００５７】
実施の形態５．
図１５は、この発明の実施の形態５におけるホームセキュリティシステムの構成を示すブロック図である。このホームセキュリティシステムは、家庭内システム１と車載システム７とにより構成されており、車載システム７を利用したホームセキュリティシステムである。なお、実施の形態１〜４で説明したものと同様の構成には、同一の符号を付して重複した説明を省略する。
【００５８】
以下に示す実施の形態５における家庭内システム１は、実施の形態１に示す家庭内システム１と同じ構成である。また、実施の形態５における車載システム７は、実施の形態１に示す車載システム２に比べると、停電感知モジュール３４をさらに備えている。
停電感知モジュール３４は、家で停電が発生したか否かを感知するためのモジュールであり、家庭内システムマネージャ１３と車載機器コントローラ２３との間の通信が突然途切れた場合に、停電が発生したか否かの確認を行う。
【００５９】
停電が発生した場合には、家のセキュリティシステムがダウンしてしまい作動しなくなるので、不審者の侵入や火災などの異常を検知することができなくなってしまう。そこで、この実施の形態５では、停電が発生したか否かを確認し、停電が発生した場合には、車載バッテリ２７から家に対して充電を行い、家のセキュリティシステムを動かすのに必要な電力を供給しようというものである。
【００６０】
図１６は、この発明の実施の形態５におけるホームセキュリティシステムの停電確認処理を示すフローチャートである。
家庭内システムマネージャ１３と車載機器コントローラ２３との間の通信が確立して、このホームセキュリティシステムが作動している最中に、突然通信が切断された場合（ステップＳＴ９１のＹＥＳの場合）、停電感知モジュール３４が、その通信切断の原因が停電が発生したことによるものであるか否かを確認する（ステップＳＴ９２）。
【００６１】
停電が発生したか否かの確認方法としては様々なものが考えられるが、例えば、近隣の車と通信し、それぞれの車の充電状況を問い合わせることにより確認する。可能であれば、近隣の車とその家庭内システムと通信状況を問い合わせる。この時、一定数以上の近隣の車が充電もしくは家庭内システムとの通信が突然途切れたと回答した場合、その地域で停電が発生したと判断する。
また、他の確認方法として、例えば、電力会社のサーバと通信を行い、近隣の停電情報を問い合わせる。計画的な停電であったり、工事等の影響による停電である場合には、電力会社がその情報を有しているはずである。その結果、家の周囲で停電を行っているとの回答を得た場合、通信が途切れた原因は停電であると判断する。
【００６２】
そして、停電であると判断された場合（ステップＳＴ９３のＹＥＳの場合）には、家庭内システム作動のために必要な電力を、車載バッテリ２７から供給する（ステップＳＴ９４）。一方、停電ではないと判断された場合（ステップＳＴ９４のＮＯの場合）には、故意に、または、電気の使い過ぎ等によりブレーカーが落ちたものと考えられるので、充電は行わずに処理を終了する。
【００６３】
停電が発生した場合（ステップＳＴ９３のＹＥＳの場合）には、家庭内のセキュリティシステムは、非常用バッテリ（補助バッテリ）を持っていない限り動作を停止してしまう。その結果、不審者の侵入や火災等の異常事態が発生しても、異常を感知することも、その異常に対処することもできなくなってしまう。
そこで、この実施の形態５では、システムに補助バッテリ機能を持たせるため、システムの構成要素として停電感知モジュール３４を加えたのである。システムは停電感知モジュール３４が停電を感知すると、充電モジュール１６を経由して、車載バッテリ２７から家庭内システム１にセキュリティシステム動作維持に必要な電力を供給する。この機能により、停電時のセキュリティの低下を防ぐことが可能となる。
【００６４】
以上のように、この実施の形態５によれば、停電感知モジュールを備え、停電を感知した場合に車載バッテリから家庭内セキュリティシステムを動作させるのに必要な電力を供給するようにしたことにより、停電時に家に非常用バッテリがない場合であっても、家庭内セキュリティシステムが停止しないようにして、家庭内のセキュリティを維持することができる。
【００６５】
実施の形態６．
図１７は、この発明の実施の形態６におけるホームセキュリティシステムの構成を示すブロック図である。このホームセキュリティシステムは、家庭内システム８と車載システム２とにより構成されており、車載システム２を利用したホームセキュリティシステムである。なお、実施の形態１〜５で説明したものと同様の構成には、同一の符号を付して重複した説明を省略する。
【００６６】
以下に示す実施の形態６における家庭内システム８は、実施の形態１に示す家庭内システム１に比べると、利用可能車両情報管理データベース（利用可能車両情報管理ＤＢ）３５と、利用可能車両情報管理モジュール３６とをさらに備え、家庭内システムマネージャ３７は、実施の形態１における家庭内システムマネージャ１３の機能に加え、利用可能車両情報管理モジュール３６に対して指示を出したり、情報を受け取る機能も有している。また、実施の形態６における車載システム２は、実施の形態１に示す車載システム２と同じ構成である。
【００６７】
利用可能車両情報管理データベース３５は、異常発生時に利用可能な近隣の車両情報が予め登録されており、その車両情報一覧を保存している。
利用可能車両情報管理モジュール３６は、異常発生時に利用可能な近隣の車両情報を利用可能車両情報管理データベース３５に登録したり、また、異常感知時にそのデータベース３５を参照・確認したりする。
【００６８】
これは、家との通信が確立されている車だけではなく、近隣の車を操作することにより、セキュリティ上有用な場合があるからである。例えば、不審者を感知した場合、近隣の車のカメラ画像を獲得することで、不審者の足取りを追うことが可能になる。また例えば、火災の発生を感知した場合には、近くで火災が発生している旨を近隣のより多くの人々に伝えることができる。ただし、他人の車を無断で使用したのでは法律的に問題であるため、予め、近隣の車の所有者の同意のもとに、近隣の利用可能な車の情報を登録して保持しておき、異常感知時にはこの情報を基に、利用する車を選定する。
【００６９】
図１８は、この発明の実施の形態６におけるホームセキュリティシステムの緊急時近隣車両利用機能の動作処理を示すフローチャートである。
家庭内システムマネージャ３７が家庭内センサ１１のセンサ情報を取得して処理した結果、異常を感知すると（ステップＳＴ１０１のＹＥＳの場合）、家庭内システムマネージャ３７は、利用可能車両情報管理モジュール３６に対して、近隣の利用可能な車両の調査命令を通知する（ステップＳＴ１０２）。それを受けて、利用可能車両情報管理モジュール３６は、利用可能車両情報データベース３５から近隣の利用可能な車両の情報を引き出し、家庭内システムマネージャ３７に結果を返す。
【００７０】
家庭内システムマネージャ３７はその結果を受けて、利用可能な近隣の車に搭載されている車載システムに対して、異常に対処するよう異常処理要求を通知する（ステップＳＴ１０３）。ただし、各車両で装備が異なることから、例えば火災発生時であれば「火災発生の旨を通知する」というような抽象的な指令を送り、その実行方法は各車両に任せるものとする。
【００７１】
以上のように、この実施の形態６によれば、家との通信が確立されている車の車載システムだけではなく、近隣の車の車載センサや車載機器も利用することにより、不審者の足取りを追うことができたり、火災発生の旨をより多くの人々に伝えることができる等、異常発生時により有効な対処をすることができる。
【００７２】
実施の形態７．
図１９は、この発明の実施の形態７におけるホームセキュリティシステムの構成を示すブロック図である。このホームセキュリティシステムは、家庭内システム８と車載システム９とにより構成されており、車載システム９を利用したホームセキュリティシステムである。なお、実施の形態１〜６で説明したものと同様の構成には、同一の符号を付して重複した説明を省略する。
【００７３】
以下に示す実施の形態７における家庭内システム８は、実施の形態６に示す家庭内システム８と同じ構成である。また、実施の形態７における車載システム９は、実施の形態１または６の車載システム２に比べると、自己診断モジュール３８をさらに備え、車載機器コントローラ３９は、実施の形態１または６の車載機器コントローラ２３の機能に加え、自己診断モジュール３８が故障を発見した場合に、故障したセンサや車載機器を家庭内システムマネージャ３７に通知する機能も有している。
【００７４】
自己診断モジュール３８は、通常時（非異常感知時）に、各車載センサ２１や車載機器２２が故障していないか否かを判断する。判断方法としては、例えば入力に対する出力結果をサンプル値と比較することにより行う。ただし、それぞれのセンサや機器ごとに確認方法は異なるため、それぞれの車載センサ２１や車載機器２２に合ったテストを行うことにより、故障の有無を確認する。
【００７５】
これは、異常感知時に対処するときになって初めてセンサや機器の故障を発見し、それから代替の近隣の車両を探索していたのでは、探索によるタイムロスが生じるからである。緊急時の対応は１分１秒を争うため、このタイムロスは問題である。
そこで、車載システム９に自己診断モジュール３８を備えるようにし、この自己診断モジュール３８によって定期的に車載センサ２１および車載機器２２の故障の有無を確認する。そして、故障を発見した場合には、車の保有者に警告を発するとともに、異常感知時にどの車を使用するかという目星をつけておくことにより、代替の近隣の車探索にかかるタイムロスをなくすことができる。
【００７６】
図２０は、この発明の実施の形態７におけるホームセキュリティシステムの故障発見時の代替車両探索処理を示すフローチャートである。
自己診断モジュール３８は、常に定期的に、すべての車載センサ２１および車載機器２２について、それぞれのセンサや機器に適した方法で故障の有無を確認している。そして、自己診断モジュール３８が、車載センサ２１または車載機器２２の故障を発見すると（ステップＳＴ１１１）、車載機器コントローラ３９が、その故障発見の通知を受けて、どの車載センサ２１または車載機器２２が故障しているのかを家庭内システムマネージャ３７に通知する（ステップＳＴ１１２）。
【００７７】
家庭内システムマネージャ３７はその故障発見の通知を受けて、利用可能車両情報管理モジュール３６に対して、近隣の利用可能な車両を探索するよう通知する（ステップＳＴ１１３）。それを受けて、利用可能車両情報管理モジュール３６は、利用可能車両情報データベース３５から近隣の利用可能な車両の情報を引き出し、その引き出した情報を、例えば家からの距離順でソートし、ソート結果を保持しておく（ステップＳＴ１１４）。以降、家庭内システムマネージャ３７が異常感知時に、利用可能車両情報管理モジュール３６に対して近隣の利用可能な車両情報を要求してきた場合（図１８に示すフローチャートのステップＳＴ１０２の調査命令があった場合）に、ステップＳＴ１１４において優先順位を付けて保持した結果を返す。そして、異常感知時には、その優先順位を付けて保持した結果に基づいて、近隣の車に搭載されている車載システムに対して異常に対処するよう指示する。
なお、優先順位の付け方については、上記のように家からの距離順以外に、利用可能車両情報データベース３５に登録した登録順など、他の指標によるものであっても構わない。
【００７８】
以上のように、この実施の形態７によれば、自己診断モジュールにより故障を検知することにより、予め代替車両を探索して優先順位を付けて保持しておくようにしたので、異常感知時に車載センサや車載機器が故障していた場合に、その代替車両の探索にかかるタイムロスをなくすことができ、迅速に近隣の車を利用して異常に対処することができる。
【００７９】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００８０】
以上のように、この発明に係るホームセキュリティシステムおよびそれに利用される車載システムは、車と家とが物理的に接続されていない場合であっても、車載システムを有効に利用することができ、防犯効果の高いホームセキュリティシステムとして利用することができる。
【符号の説明】
【００８１】
１，３，８  家庭内システム、２，４，５，６，７，９  車載システム、１１  家庭内センサ、１２  センサ処理部、１３，３７  家庭内システムマネージャ、１４  家庭内通信モジュール、１５  連絡先データベース（連絡先ＤＢ）、１６  充電モジュール、１７  連絡先データベース（連絡先ＤＢ），アクセス先データベース、１８  ゲートウェイモジュール、１９  家庭内システムアクセス権限データベース（家庭内システムアクセス権限ＤＢ），家庭内システム操作権限データベース、２１  車載センサ、２２  車載機器、２３，２９，３１，３３，３９  車載機器コントローラ、２４  車載記憶媒体、２５  搭載機器データベース（搭載機器ＤＢ）、２６  車載通信モジュール、２７  車載バッテリ、２８  搭載機器データベース（搭載機器ＤＢ），搭載機器および車載システム操作権限データベース、３０  マイク、３２  自律走行モジュール、３４  停電感知モジュール、３５  利用可能車両情報データベース（利用可能車両情報ＤＢ）、３６  利用可能車両情報管理モジュール、３８  自己診断モジュール。
【図１】
2013105125.tif 000003
【図２】
2013105125.tif 000004
【図３】
2013105125.tif 000005
【図４】
2013105125.tif 000006
【図５】
2013105125.tif 000007
【図６】
2013105125.tif 000008
【図７】
2013105125.tif 000009
【図８】
2013105125.tif 000010
【図９】
2013105125.tif 000011
【図１０】
2013105125.tif 000012
【図１１】
2013105125.tif 000013
【図１２】
2013105125.tif 000014
【図１３】
2013105125.tif 000015
【図１４】
2013105125.tif 000016
【図１５】
2013105125.tif 000017
【図１６】
2013105125.tif 000018
【図１７】
2013105125.tif 000019
【図１８】
2013105125.tif 000020
【図１９】
2013105125.tif 000021
【図２０】
2013105125.tif 000022
【手続補正書】
【提出日】平成25年12月9日(2013.12.9)
【手続補正１】
【補正対象書類名】明細書
【補正対象項目名】０００７
【補正方法】変更
【補正の内容】
【０００７】
上記目的を達成するため、この発明は、家庭内システムと車載システムとを備えたホームセキュリティシステムであって、家庭内システムは、家庭内に取り付けられた家の状態を検出可能な家庭内センサと、車載システムと通信可能な家庭内通信モジュールとを備え、家庭内センサの情報から異常を感知するものであり、車載システムは、車に搭載されている車外出力可能な車載機器と、家庭内通信モジュールを介して家庭内システムと通信可能な車載通信モジュールとを備え、家庭内システムが異常を感知した場合に、家庭内通信モジュールおよび車載通信モジュールを介して家庭内システムから指示を受け取り、当該指示にしたがって車載機器を用いて異常に対処し、車載システムは、車に搭載されている車の周囲または内部の状態を検出可能な車載センサをさらに備え、家庭内システムは、異常を感知した場合に、家庭内センサおよび車載センサの情報を外部端末から閲覧することを許可することを特徴とする。
【手続補正２】
【補正対象書類名】特許請求の範囲
【補正対象項目名】全文
【補正方法】変更
【補正の内容】
【特許請求の範囲】
【請求項１】
家庭内システムと車載システムとを備えたホームセキュリティシステムであって、
前記家庭内システムは、
家庭内に取り付けられた家の状態を検出可能な家庭内センサと、前記車載システムと通信可能な家庭内通信モジュールとを備え、
前記家庭内センサの情報から異常を感知するものであり、
前記車載システムは、
車に搭載されている車外出力可能な車載機器と、前記家庭内通信モジュールを介して前記家庭内システムと通信可能な車載通信モジュールとを備え、
前記家庭内システムが異常を感知した場合に、前記家庭内通信モジュールおよび前記車載通信モジュールを介して前記家庭内システムから指示を受け取り、当該指示にしたがって前記車載機器を用いて前記異常に対処し、
前記車載システムは、
前記車に搭載されている車の周囲または内部の状態を検出可能な車載センサをさらに備え、
前記家庭内システムは、
前記異常を感知した場合に、前記家庭内センサおよび前記車載センサの情報を外部端末から閲覧することを許可する
ことを特徴とするホームセキュリティシステム。
【請求項２】
前記家庭内システムは、
前記家庭内通信モジュールと前記車載通信モジュールとにより前記家庭内システムと前記車載システムとの通信が確立した場合に、前記車にどのような車載機器が搭載されているのかを確認する
ことを特徴とする請求項１記載のホームセキュリティシステム。
【請求項３】
前記車載システムは、
前記家庭内システムが前記異常を感知した場合に、前記車載機器であるスピーカを用いて前記車の周囲にメッセージを出力する
ことを特徴とする請求項１記載のホームセキュリティシステム。
【請求項４】
前記車載システムは、
前記家庭内システムが前記異常を感知した場合であって、前記異常が不審者によるものであると判断された場合に、前記車載機器を用いて前記不審者を威嚇する出力を行う
ことを特徴とする請求項１記載のホームセキュリティシステム。
【請求項５】
前記車載システムは、
車載記憶媒体をさらに備え、
前記家庭内通信モジュールと前記車載通信モジュールとにより前記家庭内システムと前記車載システムとの通信が確立した場合に、前記家庭内センサ情報を、前記車載記憶媒体に常時保存する
ことを特徴とする請求項１記載のホームセキュリティシステム。
【請求項６】
前記家庭内システムは、
異常発生時に異常を通知する登録者または登録機関を予め登録しておく連絡先データベースをさらに備え、
前記異常を感知した場合に、前記家庭内通信モジュールおよび前記車載通信モジュールを介して、前記異常を感知した旨を、前記連絡先データベースに予め登録してある登録者または登録機関へ通知する
ことを特徴とする請求項１記載のホームセキュリティシステム。
【請求項７】
前記家庭内システムは、
前記ホームセキュリティシステムに外部端末からアクセス可能な登録者または登録機関を予め登録しておくアクセス先データベースと、当該アクセス先データベースに基づいてアクセス制限を行うゲートウェイモジュールとをさらに備え、
前記外部端末からのアクセスの際に、前記車載通信モジュールおよび前記ゲートウェイモジュールを経由させる
ことを特徴とする請求項１記載のホームセキュリティシステム。
【請求項８】
前記家庭内システムは、
前記異常を感知した場合に、前記アクセス先データベースに予め登録されている登録者または登録機関の外部端末から、前記ゲートウェイモジュールを介して、前記家庭内センサ、前記車載センサおよび前記車載機器を操作することを許可する
ことを特徴とする請求項７記載のホームセキュリティシステム。
【請求項９】
前記車載システムは、
前記ホームセキュリティシステムにアクセス可能な登録者または登録機関のうち、前記車載システムに対する外部からの操作可否情報も保持する車載システム操作権限データベースをさらに備え、
前記家庭内システムは、
前記アクセス先データベースに予め登録されている登録者または登録機関のうち、前記家庭内システムに対する外部からの操作可否情報も保持する家庭内システム操作権限データベースをさらに備え、
前記家庭内システム操作権限データベースおよび前記車載システム操作権限データベースを参照することにより、前記アクセス先データベースに予め登録されている登録者または登録機関の外部端末からの操作権限を管理する
ことを特徴とする請求項７記載のホームセキュリティシステム。
【請求項１０】
前記車載システムは、マイクをさらに備え、
前記家庭内システムは、前記異常を感知した場合に、前記連絡先データベースに予め登録してある登録者または登録機関の外部端末に電話をかける
ことを特徴とする請求項６記載のホームセキュリティシステム。
【請求項１１】
前記車載システムは、
自律走行モジュールをさらに備え、
前記家庭内システムが前記異常を感知した場合に、前記自律走行モジュールを起動した上で、前記車載システムの前記車載機器を用いて前記車の周囲にメッセージを出力する
ことを特徴とする請求項１記載のホームセキュリティシステム。
【請求項１２】
前記家庭内システムは、充電モジュールをさらに備え、
前記車載システムは、
車載バッテリおよび停電感知モジュールをさらに備え、
前記停電感知モジュールが前記家庭内システムの停電を感知した場合に、前記車載バッテリから前記充電モジュールに対して、前記家庭内システムを動作させるのに必要な電力を供給する
ことを特徴とする請求項１記載のホームセキュリティシステム。
【請求項１３】
前記家庭内システムは、
異常発生時に利用可能な近隣の車を予め登録した利用可能車両情報データベースをさらに備え、
前記異常を感知した場合に、前記利用可能車両情報データベースに予め登録してある近隣の車に搭載されている車載システムに対して前記異常に対処するよう指示する
ことを特徴とする請求項１記載のホームセキュリティシステム。
【請求項１４】
前記車載システムは、
前記車載センサおよび前記車載機器の故障を発見する自己診断モジュールをさらに備え、
前記家庭内システムは、
前記故障した車載センサまたは車載機器の代替として利用可能な近隣の車を前記利用可能車両情報データベースから探索して優先順位を付けて保持しておき、
前記異常を感知した場合に、前記優先順位を付けて保持した結果に基づいて、前記近隣の車に搭載されている車載システムに対して前記異常に対処するよう指示する
ことを特徴とする請求項１３記載のホームセキュリティシステム。
【請求項１５】
家庭内の異常を感知する家庭内システムを備えたホームセキュリティシステムに利用される車載システムであって、
車に搭載されている車外出力可能な車載機器と、前記家庭内システムと通信可能な車載通信モジュールとを備え、
前記家庭内システムが異常を感知した場合に、前記車載通信モジュールを介して前記家庭内システムから指示を受け取り、当該指示にしたがって前記車載機器を用いて前記異常に対処し、
前記車載システムは、前記車に搭載されている車の周囲または内部の状態を検出可能な車載センサをさらに備え、
前記家庭内システムが前記異常を感知した場合に、家庭内に取り付けられた家の状態を検出可能な家庭内センサおよび前記車載センサの情報を外部端末から閲覧することを許可する
ことを特徴とする車載システム。
【請求項１６】
前記家庭内システムが異常を感知した場合に、前記車載機器であるスピーカを用いて前記車の周囲にメッセージを出力する
ことを特徴とする請求項１５記載の車載システム。
【請求項１７】
前記家庭内システムが異常を感知した場合であって、前記異常が不審者によるものであると判断された場合に、前記車載機器を用いて前記不審者を威嚇する出力を行う
ことを特徴とする請求項１５記載の車載システム。
【請求項１８】
自律走行モジュールをさらに備え、
前記家庭内システムが異常を感知した場合に、前記自律走行モジュールを起動した上で、前記車載機器であるスピーカを用いて前記車の周囲にメッセージを出力する
ことを特徴とする請求項１５記載の車載システム。
【請求項１９】
車載バッテリおよび停電感知モジュールをさらに備え、
前記停電感知モジュールが前記家庭内システムの停電を感知した場合に、前記車載バッテリから前記家庭内システムに対して、前記家庭内システムを動作させるのに必要な電力を供給する
ことを特徴とする請求項１５記載の車載システム。
【国際調査報告】
2013105125.tif 000023
2013105125.tif 000024
2013105125.tif 000025
2013105125.tif 000026